(57)【要約】【課題】操作性に優れ、経済的に使用できる清掃用具を提供する。【解決手段】ロール１５に巻回された清掃シートＳの清掃面を清掃対象面に擦り付けて、清掃対象面の汚れを拭き取る清掃用具１００において、清掃シートＳの表裏を反転させ、清掃シートＳの表面と裏面を同時に一面に露出させて当該一面を清掃面とさせる反転機構を備え、ロール１５から清掃シートＳを任意の長さだけ繰り出すことが可能に構成されている。【選択図】図１
2010227502.tif 000002
【特許請求の範囲】
【請求項１】
ロールに巻回された清掃シートの清掃面を清掃対象面に擦り付けて、清掃対象面の汚れを拭き取る清掃用具において、
前記清掃シートの表裏を反転させ、前記清掃シートの表面と裏面を同時に一面に露出させて当該一面を清掃面とさせる反転機構を備え、
前記ロールから前記清掃シートを任意の長さだけ繰り出すことが可能に構成されていることを特徴とする清掃用具。
【請求項２】
前記清掃面として露出される清掃シートの表面と裏面の進行方向の長さが等しいことを特徴とする請求項１に記載の清掃用具。
【請求項３】
前記反転機構は、
前記ロールと、
前記ロールから繰り出された前記清掃シートを反転させるロール状部材と、を備え、
前記ロール状部材は清掃対象面に接触し、
前記ロール状部材の少なくとも一部は押圧によって変形可能に構成されていることを特徴とする請求項１又は２に記載の清掃用具。
【請求項４】
前記反転機構から送り出された後の前記清掃シートを切り取る切り取り部を備えることを特徴とする請求項１〜３の何れか一項に記載の清掃用具。
【請求項５】
前記反転機構から送り出された後の前記清掃シートを巻き取る巻き取り部を備えることを特徴とする請求項１〜３の何れか一項に記載の清掃用具。
【請求項６】
前記巻き取り部は、
清掃時に、前記清掃面と清掃対象面との間の摩擦により生じる巻き取り方向への力により巻き取る巻き取り機構を備えることを特徴とする請求項５に記載の清掃用具。
【請求項７】
前記清掃シートに液体を塗布する塗布機構を備えることを特徴とする請求項１〜６の何れか一項に記載の清掃用具。
【請求項８】
前記清掃シートは、少なくとも３層構造となっており、
中間層に、液不透過性のシートを備えることを特徴とする請求項１〜７の何れか一項に記載の清掃用具。
【請求項９】
前記清掃シートは、表面と裏面とで異なる清掃機能を有することを特徴とする請求項８に記載の清掃用具。
【発明の詳細な説明】
【技術分野】
【０００１】
本発明は、清掃用具に関する。
【背景技術】
【０００２】
従来より、床面等のゴミを除去するため、専用の治具に清掃シートを取り付けて払拭するタイプの清掃用具が普及しており、より経済性に優れた用具の開発が期待されている。
例えば、特許文献１には、巻回した長尺な清掃シートの一面を全て使用した後、裏面を使用することで表裏全面を利用可能とした掃除器が提案されている。
また、特許文献２には、長尺な清掃シートの表面の一部と裏面の一部とを一度に露出させて清掃面として利用し、清掃面が汚れたら新たな清掃面を送り出して利用する掃除器が提案されている。
【先行技術文献】
【特許文献】
【０００３】
【特許文献１】特開平９−１２２０５８号公報
【特許文献２】特開平１０−３３４４４号公報
【発明の概要】
【発明が解決しようとする課題】
【０００４】
しかしながら、上記特許文献１は、清掃シートの表面側から裏面側に清掃面を変更するのに清掃シートを反転する作業が別途必要なため、操作性が悪いという問題があった。
また、上記特許文献２では、清掃シートを送り出す場合には、機構上、清掃面全体の長さ分の清掃シートを送り出す必要があり、清掃面の一部しか汚れが付着していない場合であっても、清掃面全ての清掃シートを交換しなくてはならないため経済的でない、という問題があった。
【０００５】
本発明の課題は、操作性に優れ、経済的に使用できる清掃用具を提供することである。
【課題を解決するための手段】
【０００６】
前記課題を解決するために、請求項１に記載の発明は、
ロールに巻回された清掃シートの清掃面を清掃対象面に擦り付けて、清掃対象面の汚れを拭き取る清掃用具において、
前記清掃シートの表裏を反転させ、前記清掃シートの表面と裏面を同時に一面に露出させて当該一面を清掃面とさせる反転機構を備え、
前記ロールから前記清掃シートを任意の長さだけ繰り出すことが可能に構成されていることを特徴とする。
【０００７】
請求項２に記載の発明は、請求項１に記載の清掃用具において、
前記清掃面として露出される清掃シートの表面と裏面の進行方向の長さが等しいことを特徴とする。
【０００８】
請求項３に記載の発明は、請求項１又は２に記載の清掃用具において、
前記反転機構は、
前記ロールと、
前記ロールから繰り出された前記清掃シートを反転させるロール状部材と、を備え、
前記ロール状部材は清掃対象面に接触し、
前記ロール状部材の少なくとも一部は押圧によって変形可能に構成されていることを特徴とする。
【０００９】
請求項４に記載の発明は、請求項１〜３の何れか一項に記載の清掃用具において、
前記反転機構から送り出された後の前記清掃シートを切り取る切り取り部を備えることを特徴とする。
【００１０】
請求項５に記載の発明は、請求項１〜３の何れか一項に記載の清掃用具において、
前記反転機構から送り出された後の前記清掃シートを巻き取る巻き取り部を備えることを特徴とする。
【００１１】
請求項６に記載の発明は、請求項５に記載の清掃用具において、
前記巻き取り部は、
清掃時に、前記清掃面と清掃対象面との間の摩擦により生じる巻き取り方向への力により巻き取る巻き取り機構を備えることを特徴とする。
【００１２】
請求項７に記載の発明は、請求項１〜６の何れか一項に記載の清掃用具において、
前記清掃シートに液体を塗布する塗布機構を備えることを特徴とする。
【００１３】
請求項８に記載の発明は、請求項１〜７の何れか一項に記載の清掃用具において、
前記清掃シートは、少なくとも３層構造となっており、
中間層に、液不透過性のシートを備えることを特徴とする。
【００１４】
請求項９に記載の発明は、請求項８に記載の清掃用具において、
前記清掃シートは、表面と裏面とで異なる清掃機能を有することを特徴とする。
【発明の効果】
【００１５】
本発明によれば、反転機構により、清掃シートを任意の長さだけ繰り出しながら、表面を清掃面として使用した清掃シートの裏面を清掃面として使用することができるため、清掃シートの表裏両面を無駄なく使用できると共に、反転作業を別途行う必要もない。従って、操作性に優れ、経済的である。
【図面の簡単な説明】
【００１６】
【図１】本発明の第１実施形態の清掃用具を示す斜視図である。
【図２】本発明の第１実施形態の清掃用具の断面模式図である。
【図３】繰り出し機構を示す拡大図である。
【図４】ブラシ体が潰れた状態を示す図である。
【図５】本発明に適用される清掃シートの断面図である。
【図６】本発明の第２実施形態の清掃用具の断面模式図である。
【図７】巻き取り機構を示す拡大図である。
【図８】本発明の変形例を示す図である。
【発明を実施するための形態】
【００１７】
以下、本発明の実施の形態を、図面を参照しながら詳細に説明する。但し、発明の範囲は図示例に限られない。
【００１８】
［第１実施形態］
本実施形態における清掃用具１００を例示して説明する。
図１に示すように、清掃用具１００は、長尺な柄１１と、この柄１１の先端部に結合された略コ字状の支持アーム１２と、この支持アーム１２の両側アーム部１２Ａに挟まれた状態で支軸部１３を介して前後方向に揺動自在に支持されたフレーム１４と、を備えている。
【００１９】
図１、２に示すように、フレーム１４の後部には、未使用の清掃シートSが巻回されたロール１５が回転軸１５１を介して回動自在に支持され、フレーム１４の前部には、ロール状のブラシ体１６が回転軸１６１を介して回動自在に支持されている。
ロール１５とブラシ体１６とは、僅かな間隙を挟んで前後に平行に並べられて配置されている。
【００２０】
ロール１５は、回転軸１５１に不織布等からなる清掃シートSが巻回されて構成されている。ロール１５は、図２の側面視において反時計回りに回転可能となっており、当該ロール１５の底部から後部及び上部を通ってブラシ体１６の底部に至るように清掃シートSを送り出し、清掃シートSを送り出すに従って次第にその径が小さくなる。
ブラシ体１６は、回転軸１６１に樹脂等からなる繊毛が植毛されて構成されている。ブラシ体１６は、図２の側面視において時計回りに回転可能となっており、当該ブラシ体１６の底部から前部を通って上方に進行するようにロール１５から搬送された清掃シートSを送り出す。
すなわち、本実施形態においては、ロール１５及びブラシ体１６は、反転機構として、清掃シートSの表裏を反転させ、その表面と裏面を同時に一面に露出させて当該一面を清掃面とさせる。
【００２１】
ロール１５の回転軸１５１には、フレーム１４の両側部において第１歯車１５２が軸着されており、ブラシ体１６の回転軸１６１には、フレーム１４の両側部において第２歯車１６２が軸着されている。
第１歯車１５２と第２歯車１６２との間隙には、２つの歯車（第３歯車１７ａ、第４歯車１７ｂ）が噛合して備えられている。
また、第１歯車１５２の中心軸には、フレーム１４の側方に突出する摘み部１５３が設けられている。摘み部１５３は利用者の任意で回転されるものである。
【００２２】
摘み部１５３、第１歯車１５２、第２歯車１６２、第３歯車１７ａ、第４歯車１７ｂ、回転軸１５１、及び回転軸１６１、は、摘み部１５３が利用者の任意で回転された場合、清掃シートＳを進行方向に繰り出すための繰り出し機構を構成する。
具体的には、摘み部１５３が利用者の任意で回転されると、第１歯車１５２と第２歯車１６２とが第３歯車１７ａ、第４歯車１７ｂを介して互いに連動して回転し、清掃シートSは、摘み部１５３の回転に応じた長さ分（任意の長さ分）だけその進行方向へ繰り出されることとなる。つまり、利用者は、摘み部１５３を回転させることでロール１５から任意の長さの清掃シートSを送り出すことが可能となっている。
なお、繰り出し機構の構成としては、上記したものに限定されず、これ以外にも、例えば、ダイヤルやゴムベルト等を用いた各種方法を用いることができる。
【００２３】
また、図３に示すように、第３歯車１７ａと第４歯車１７ｂとの間には、その上端部が支軸部１３に固定されたストッパー１９の先端部が差し込まれるようになっている。
具体的に、フレーム１４の両側部には、鉛直方向にその長手方向が沿うよう形成された楕円形状の孔溝１８が設けられている。支軸部１３は、孔溝１８の上縁から鉛直方向に向かって備えられた弾性部材（図示省略。）によって上向きに付勢されつつ、この孔溝１８の内部を上下動可能にフレーム１４に支持されている。
従って、清掃時に、柄１１の軸方向に操作力が加えられた場合、アーム１２が支持部１３を下方に押圧することによって、弾性部材の弾性力に抗して支軸部１３がフレーム１４の孔溝１８内を下方向に可動する。これに伴って、ストッパー１９が下方に移動し、ストッパー１９先端部が第３歯車１７ａと第４歯車１７ｂとの間に差し込まれるようになっている。
このストッパー１９によって、第３歯車１７ａと第４歯車１７ｂの回転を遮断することで、第１歯車１５２、第２歯車１６２、ひいてはロール１５及びブラシ体１６が回転するのが防がれる。従って、清掃時に、清掃シートSの清掃面がずれる等が生じることなく固定されるようになっている。
一方、柄１１の軸方向の操作力が緩和された場合には、弾性部材の弾性復元力により支持部１３がフレーム１４の孔溝１８内を上方向に可動する。これに伴って、ストッパー１９先端部は第３歯車１７ａと第４歯車１７ｂとの間から引き抜かれるため、上記の繰り出し機構によって、清掃シートSを送り出すことが可能となる。
【００２４】
また、第２歯車１６２の径は、ブラシ体１６のブラシ径より小さくなっており、ロール１５の径の縮小に伴ってブラシ体の径が縮小した場合にも、フレーム１４が清掃対象面に接触しないようになっている。
【００２５】
ロール１５とブラシ体１６との上方であってフレーム１４の上部には、ブラシ体１６の底部から送り出された使用済みの清掃シートSを引き出す開口部２０が設けられており、この開口部２０は、当該開口部２０を開閉可能な透明カバー２１によって被覆されている。
また、開口部２０の前縁部には、切り取り部としての鋸刃２０１が備えられており、清掃対象面の汚れを拭き取った後の使用済みの清掃シートSを任意の長さで切り出すことが可能となっている。
なお、切り取り機構は鋸刃に限定されるものではなく、これ以外にも、例えば、スライドカッター、ギロチン、シートを裂く起点となる突起等を設ける等、各種の方法で実現可能である。
【００２６】
また、フレーム１４の後部には、清掃シートSに液体を塗布する塗布機構としてのポンプユニット２２が備えられている。
ポンプユニット２２は、液体を収納した容器２２１と、当該容器２２１に圧力を付与する押圧ボタン２２２を備え、押圧ボタン２２２を押圧するたびに、吐出口２２３から液体が噴出されるように構成されている。
容器２２１に収納される液体としては、例えば、洗浄液、液体ワックス等、用途に応じて各種の液体が適用可能である。
例えば、容器２２１に清掃シートSに予め含浸された薬剤と反応する薬液を収納し、清掃シートSにポンプユニット２２から液体を塗布した際に、発熱や吸熱、発泡、呈色等の反応による効果を持たせることもできる。
また、容器２２１に抗菌剤や消臭剤を含む薬液を収納し、菌が繁殖するのを防止する効果を持たせることもできる。
【００２７】
ロール１５に巻回された清掃シートSは、当該ロール１５の底部から後部及び上部を通ってブラシ体１６の底部に至り、ブラシ体１６の底部から前部を通って上方の開口部２０に引き出されるようになっている。
清掃シートSにおいて、ロール１５及びブラシ体１６の底部により上方から圧迫された領域は、清掃面を構成している。図４に示すように、ブラシ体１６の下方の清掃面は、ロール１５の径の縮小に伴って拡大する。
【００２８】
ここで、清掃シートSの構成について詳述する。
本実施形態の清掃シートSは、表面層、中間層、裏面層の３層構造となっており、中間層が不透過性であって、表面層と裏面層とで異なる機能を有するように構成されている。
なお、清掃シートSには、所定間隔毎にミシン目（図示省略。）が設けられており鋸刃２０１により容易に切り取り易くなっている。
【００２９】
具体的には、図５に示すように、清掃シートSは、２枚の不織布１、２と、２枚の不織布１、２の間に介在するフィルム３と、を備えて構成されている。
以下、図５において表面側の不織布１を表面層とし、裏面側の不織布２を裏面層とし、フィルム３を中間層として説明する。
【００３０】
不織布１は、親水性を有する繊維を主体として構成されたシート材である。親水性を有する繊維の例としては、例えば、レーヨン、リヨセル、テンセル、コットン等のセルロース系繊維、アクリル繊維等の親水性の合成繊維などが挙げられる。これらは単独で、又は２種以上を組み合わせて用いることができる。
不織布２は、疎水性を有する繊維を主体として構成されたシート材である。疎水性を有する繊維の例としては、例えば、ポリエチレン、ポリプロピレン及びポリビニルアルコール等のポリオレフィン系繊維、ポリエチレンテレフタレート、ポリブチレンテレフタレート等のポリエステル繊維や、ナイロン等のポリアミド系繊維が挙げられる。これらは単独で、又は２種以上を組み合わせて用いることができる。
フィルム３は、液不透過性を有し、液の透過を遮断する基材シートである。具体的には、フィルム３は、熱可塑性樹脂が好ましく、例えば、ポリエチレン、ポリプロピレン、エチレン・α−オレフィン共重合体、エチレン−酢酸ビニル共重合体、ポリエチレンテレフタレート、ポリアミド、ポリ塩化ビニル等が使用される。
【００３１】
このような清掃シートSは、フィルム３が水分の浸透を遮断するため、親水性の不織布１には予め液体を含有保持させウェットタイプの清掃シートとして用いる一方で、疎水性の不織布２はドライタイプの清掃シートとして用いることができるようになっている。従って、本実施形態の清掃シートSの表裏両面を使用可能な清掃用具１００に適用した場合、表面の不職布１で水拭きした直後に、裏面の不織布２で乾拭きを行うことができるので拭き跡を残さないようにでき、好適である。
【００３２】
なお、清掃シートSの表面層及び裏面層の構成は、例えば、親水度、摩擦係数、毛足の長さ、弾性、色彩や模様、繊維密度、繊維種類、粘着度、ぬれ方、及び吸収性能等を設定変更することで用途に応じて適宜選択される。例えば、表面層を疎水性の硬質な繊維層で形成してゴミを掻き出し、裏面層を粘性層で形成して掻き出したゴミを付着させるなどとすることができる。
【００３３】
次に、清掃用具１００における清掃動作について説明する。
本実施形態における清掃用具１００の清掃動作としては、柄１１の軸方向に加える操作力によってストッパー１９が機能して清掃面が固定された状態で、清掃用具１００を前後左右に移動させ、清掃対象面の払拭を行う。
清掃面が汚れて新しい面にする時は、下向きの操作力が緩和され、支軸部１３が上向きに付勢されてストッパー１９が解除された状態で透明カバー２１を開け、摘み部１５３を回転させて使用済みの清掃シートSを開口部２０から引き出した後、開口部２０の鋸刃２０１によって使用済み清掃シートSをカットし、透明カバー２１を閉じる。その後、清掃対象面の払拭を再開する。
【００３４】
上記のように清掃面を新しい面とする場合、ロール１５の底部においてその表面が清掃面として機能していた清掃シートSは、ロール１５を一周した後にブラシ体１６の底部に至り、再度その裏面が清掃面として機能することとなる。
また、ブラシ体１６の底部において清掃面として使用された清掃シートSは、ブラシ体１６の前部を通って開口部２０へと送り出され、鋸刃２０１にてカットされることとなる。
【００３５】
以上のように、本実施の形態による清掃用具１００によれば、ブラシ体１６により、清掃シートＳを任意の長さだけ移動させながら、表面を清掃面として使用した清掃シートＳの裏面を清掃面として使用することができるため、清掃シートＳの表裏両面を無駄なく使用できると共に、反転作業を別途行う必要もない。従って、操作性に優れ、経済的である。
【００３６】
また、清掃シートＳを任意の長さ分だけ繰り出す繰り出し機構を備えることにより、清掃面が汚れて新しい面にする場合に、摘み部１５３を回転させるだけで順次新しい清掃面を送出させられるので、連続して清掃作業ができ、使い勝手が良好である。
また、使用済みの清掃シートSを切り取る鋸刃２０１を備えることにより、使用済みの清掃シートSを容易に切り取ることができるので、汚れの付着したシートを内部に長期保持することがなく、清掃用具を清潔に保つことができる。
【００３７】
ブラシ体１６は押圧によって変形可能に構成されているため、ロール１５の径の縮小に応じて相対的に高い部分が適度に潰れ、フレーム１４を清掃対象面に対して常に略平行に維持できるため使い勝手が良好である。
【００３８】
また、清掃シートSは、表面層、中間層、裏面層の３層構造となっており、中間層が不透過性であって、表面層と裏面層とで異なる機能を有するように構成されているため、表裏面を用いる清掃用具１００に３層構造の清掃シートを合わせて用いることで、より効果的な清掃を行うことができる。
【００３９】
［第２実施形態］
次に、本発明の第２実施形態について、第１実施形態と異なる点を中心に説明する。なお、第１実施形態と同一の構成については同一の符号を付して説明を省略する。
本実施形態の清掃用具２００は、切り取り部の代わりに、使用済みの清掃シートを巻き取る巻き取り部を備えて構成されている。
【００４０】
具体的に、図６に示すように、ロール１５とブラシ体１６との上には、巻き取り部として、これらに跨る巻き取りロール２３が乗せられている。
図７に示すように、巻き取りロール２３の回転軸２３１には、３つの歯車（第５歯車２４ａ、第６歯車２４ｂ、第７歯車２４ｃ）が連結されており、第５歯車２４ａ、第６歯車２４ｂ、第７歯車２４ｃ、巻き取りロール２３、及び回転軸２３１により、巻き取り機構が構成されている。
巻き取りロール２３は、ロール１５とブラシ体１６とが回転した場合に、これら３つの歯車に連動して前方向に回転し、ブラシ体１６から送り出された清掃シートSを巻き取るようになっている。
なお、巻き取り機構の歯車の数はこれに限られるものではなく、適宜設定可能である。
なお、フレーム１４の開口部２０及び透明カバー２１は、巻き取りロール２３の出し入れ口として用いられ、使用済み清掃シートSを多量に巻き取った際に交換可能である。
【００４１】
本実施形態における清掃用具２００の清掃動作としては、第１実施形態と同様、柄１１の軸方向に加える操作力によってストッパー１９が機能し、清掃面が固定された状態で清掃用具２００を前後左右に移動させ、清掃対象面の払拭を行う。
清掃面が汚れて新しい面にする時は、ストッパー１９を解除した状態で摘み部１５３を回転させて使用済みの清掃シートSを巻き取りロール２３に巻き取ることで新しい清掃面を露出させ、清掃対象面の払拭を再開する。
【００４２】
以上のように、本実施の形態による清掃用具２００によれば、第１実施形態と同様の効果が得られるのは勿論のこと、使用済みの清掃シートSを内部に格納でき、未使用シートを全て使い終わった時点でまとめて交換できる。このため、ゴミを廃棄する手間を省くことができる。
なお、本実施形態においては、使用済み清掃シートSを巻き取るのに専用の巻き取りロール２３を備えた構成について説明しているが、ブラシ体１６自体に巻き取らせることとしても良い。
【００４３】
（変形例）
第２実施形態の変形例として、ストッパー１９を設けず、巻き取りロール２３が、清掃面と清掃対象面との間の摩擦により生じる巻き取り方向への力により巻き取られるように構成することも可能である。
【００４４】
すなわち、本変形例の清掃動作としては、清掃面を固定せずに、柄１１の軸方向に加える操作力を一方向として清掃対象面の払拭を行う。つまり、清掃用具２００を常時前進させることで清掃作業を行う。
清掃面は、清掃対象面との間の摩擦により巻き取りロール２３に巻き取られ、常に清掃シートSの未使用部だけが清掃対象面に触れることとなる。
【００４５】
このように構成することにより、常に清掃シートSの未使用部だけが清掃対象面に触れることとなるため、より衛生的に清掃を行うことができる。
なお、ストッパー１９は、必要に応じてON／OFFの切換を行うことができるように構成しても良い。具体的には、例えば、ストッパー１９を支軸部１３を介して上向きに回転させてＯＦＦとし、下向きに回転させてONとさせるようにすることができる。
【００４６】
なお、上記第１、２実施形態においては、ロール１５及びロール状のブラシ体１６を用い、八の字状に清掃シートＳを搬送させる構成を例示して説明したが、反転機構の形状や清掃シートＳの搬送方向はこれに限定されない。
【００４７】
例えば、図８（ａ）に示すように、ロール１５から送り出された清掃シートＳを扁平直方体形状の扁平部材５の底面に沿うよう搬送させ、この扁平部材５の側端部でバー６により反転させた後、扁平部材５の底面中心まで逆送させる構成としても良い。
また、図８（ｂ）に示すように、間隙Ｈを備えて配置された２つの扁平直方体形状の扁平部材５、５を用い、清掃シートＳを、一方の扁平部材５の下面から間隙Ｈを通って他方の扁平部材５の上面を経由し裏面に戻るように搬送させた構成としても良い。
このように、扁平直方体形状の扁平部材５を用いた場合、清掃面として露出される清掃シートの表面と裏面の進行方向の長さを等しくすることができ、新たな清掃面を繰り出した場合、清掃シートの未使用面だけが露出することとなり効果的に清掃作業を行うことができる。
また、扁平直方体形状の扁平部材５を用いた場合、底面が清掃面となるため、清掃対象物との接触面積を拡大することができ、より効果的に清掃作業を行うことができる。
【００４８】
また、図８（ｃ）に示すように、ロール１５から送り出された清掃シートＳの進行方向を変えず、セーラ等により途中で捻ることにより反転させることとしても良い。
また、図８（ｄ）に示すように、清掃シートＳをロール１５の底部からブラシ体１６の上部に向かって送り出すこととしても良い。
【００４９】
また、上記第１、２実施形態においては、ロール状部材としてブラシ体１６を用いた構成であるが、ロール状部材は必ずしもブラシ体１６である必要はない。
具体的には、例えば、弾性材やスポンジ等で構成した場合であっても、ブラシ体と同様に、押圧によって容易に変形・復元可能であるため、清掃シートSの巻きだしによりロール１５の太さが変動しても高低差を相殺することができる。
【００５０】
なお、変形しない部材を用いた場合、両者ともロール形状であれば、清掃シートSの清掃面として露出された表面と裏面の進行方向の長さは、略等しくなり、新たな清掃面を繰り出した場合、清掃シートの未使用面だけが露出することとなり効果的に清掃作業を行うことができる。
【００５１】
また、清掃シートSとして３層構造であるものを例示して説明したが、層の数に関わらず公知の清掃シートであれば何れも適用可能であるのは勿論である。すなわち、一層のシートであっても、３層以上のシートであっても良い。
【符号の説明】
【００５２】
１００、２００  清掃用具
１５  ロール（反転機構）
１５１  回転軸
１５２  第１歯車
１５３  摘み部
１６  ブラシ体（ロール状部材、反転機構）
１６１  回転軸
１６２  第１歯車
１７ａ  第２歯車
１７ｂ  第３歯車
１９  ストッパー
２０  開口部
２０１鋸刃（切り取り部）
２２  ポンプユニット（塗布機構）
２２１  容器
２２２  押圧ボタン
２２３  吐出口
２３  巻き取りロール（巻き取り部、巻き取り機構）
２３１  回転軸（巻き取り機構）
２４ａ  第５歯車（巻き取り機構）
２４ｂ  第６歯車（巻き取り機構）
２４ｃ  第７歯車（巻き取り機構）
Ｓ  清掃シート
１  不織布（表面層）
２  不織布（裏面層）
３  フィルム（中間層）
【図１】
2010227502.tif 000003
【図２】
2010227502.tif 000004
【図３】
2010227502.tif 000005
【図４】
2010227502.tif 000006
【図５】
2010227502.tif 000007
【図６】
2010227502.tif 000008
【図７】
2010227502.tif 000009
【図８】
2010227502.tif 000010